(57)【要約】【課題】ポケットティッシュの外装フィルムを剥がし、一枚一枚個別に折り畳まれたティッシュをまとめて収容しておき、取り出しやすく、使いやすいポケットティッシュ収容具を作ること。【解決手段】主に四角筒状の本体部の内側を収容部とし、裏面に磁石部を設け、前面には溝部を設け、上面を開放して挿入口とし、下面も開放して取り出し口とし、収容したティッシュの脱落防止のために本体部の内側下部に出っ張り部を設け、ポケットティッシュの外装フィルムを剥がして、ティッシュをつまんで横にして溝部に沿って挿入し、積み重ねて収容し、冷蔵庫の金属壁面に磁石で取り付けることで、取り出しやすく、使いやすいポケットティッシュ収容具となる。【選択図】　　図１
2004089640.tif 000002
【特許請求の範囲】
【請求項１】
街角などで無料で配られていて、一枚一枚のティッシュ（１０）を小さく折り畳んで数枚をひとまとめにしている一般的にポケットティッシュと呼ばれる物の外装フィルムを剥がしたあと、横たえて複数枚収容できるように、主に、四角筒状の本体部（１）の上面を開放して挿入口（３）とし、下面も開放して取り出し口（４）として、内部は空洞として収容部（２）とする。本体部（１）を冷蔵庫（１１）の壁面に取り付けられるように、本体部（１）裏面（６）に磁石部（９）を設ける。本体部（１）を冷蔵庫（１１）に取り付けたとき、正面を向いている面を前面（５）とし、折り畳まれたティッシュ（１０）を指でつまんで、挿入口（３）から収容部（２）に横たえて入れやすくするために、前面（５）の上縁から下縁まで切断貫通させて、親指が入るくらいの溝部（７）を設ける。さらに、収容したティッシュ（１０）が、開放している収容部（２）下面から脱落しないように、収容部（２）下部内側に出っ張り部（８）を設ける。本体部（１）を冷蔵庫（１１）の壁面に裏面の磁石部（９）によって取り付け、折り畳まれたティッシュ（１０）を数枚まとめて指でつまんで、横たえるように収容部（２）上面から入れ、溝部（７）に沿って指を滑らせるようにして、つまんだティッシュ（１０）を収容部（２）下部に持っていくことができ、収容部（２）下部でも横たえたまま収容することができ、そのまま指を離しても、収容したティッシュ（１０）の端部が、出っ張り部（８）に引っかかっているので、収容したティッシュ（１０）は、収容部（２）から落下せず、取り出すときは、下層のティッシュ（１０）を下面から指でつまんだり、溝部（７）から指を入れて下層のティッシュ（１０）をつまんで、下に引っ張り出すことで、柔らかいティッシュ（１０）の長さが短くなり、出っ張り部（８）から外れ、容易に、必要な枚数のティッシュ（１０）を取り出すことができるポケットティッシュ収容具。
【発明の詳細な説明】
【０００１】
【発明の属する技術分野】
街角で配っているポケットティッシュの外装フィルムを剥がして、一枚一枚に折り畳まれているティッシュを横に寝かせるように複数枚積み重ねて収容しておいたティッシュを容易に取り出して使用できるように為されたポケットティッシュ収容具に関する。
【０００２】
【従来の技術】
従来は、ポケットティッシュ専用の収容具がなかったため、ポケットティッシュの外装フィルムを剥がさないまま、普通の収容ＢＯＸに収容しておき、使用するときは、収容ＢＯＸを開けて、一個ずつ取り出してから、外装フィルムを剥がし、中から一枚一枚折り畳まれたティッシュを取り出して使用していた。
【０００３】
【発明が解決しようとする課題】
ポケットティッシュは、バッグやポケットに入れて携帯しやすくするために、ティッシュを一枚一枚折り畳んでひとまとめにして外装フィルムに包まれているが、街角や駅前において、無料で数多く配られているので、携帯して使用する以上に手に入ってしまうため余ってしまい家に持って帰っても、ポケットティッシュを収容する適度な収容具が無かったため、ポケットティッシュを配っている場面に出くわすと、無料でありながら、必要以上にポケットティッシュをもらうのが面倒で、ありがた迷惑になっていた。また、ポケットチィッシュは、一枚一枚のティッシュが個別に折り畳まれて数枚ひとまとめにされて、外装フィルムに包まれているので、外装フィルムを剥がしてしまえばばらばらにむき出しになってしまうが収容する専用の容器が無く、無理矢理最後まで使い切らなくてはならず無駄であった。外装フィルムを剥がさずに、切れ目を切って使うときは、一枚一枚折り畳まれているので紙箱入りのティッシュペーパーのように使い勝手が良くなく、せっかく、無料でもらって家に持ち帰っても、家庭で有意義に使用するためのポケットティッシュ収容具が求められていた。
【０００４】
【課題を解決するための手段】
ポケットティッシュは、ティッシュを一枚一枚折り畳んで、数枚をまとめて外装フィルムに包んでいるため、ポケットティッシュごとそのまま収容し、ポケットティッシュを包んでいる外装フィルムに切れ目を入れて、その都度、ティッシュを一枚一枚取り出していると、使いづらいので、外装フィルムを剥がして、むき出しのまま収容した方が良く、収容している状態も横たえて寝かせるように積み重ねて収容した方が取り出しやすくなるので、収容具の本体部は、内部が空洞の主に四角筒状とし、その内部を収容部とする。上面は開放して挿入口とし、下面も開放して取り出し口とする。本体部を冷蔵庫などの金属壁面に取り付ける側の面を裏面とし、裏面に磁石部を設け、相対する面を前面とし、前面には、上縁から下縁まで貫通させた溝部を設ける。さらに、本体部内部の収容部下部に、出っ張り部を設けて、収容したティッシュが本体部下面の取り出し口から脱落しないようにする。冷蔵庫壁面に磁石によって取り付けられた本体部に、ポケットティッシュの外装フィルムを剥がしたあと、一枚一枚折り畳まれているティッシュ全体を指でつまんで、本体部上面の挿入口から横にして寝かせたまま入れ、ティッシュをつまんでいる指を溝部に差し入れながら溝部に沿って滑らせることで、本体部内部の収容部下部まで挿入してティッシュを横に寝かせたまま収容でき、これを繰り返すことでティッシュを横に寝かせて積み重ねて収容することができるようになり、手を離しても、出っ張り部が障害になって、容易に脱落しなくなり、取り出すときは、開放している本体部の下面から下層にあるティッシュを必要な一枚から数枚つまんで、下側に引っ張り出せば容易に取り出せるポケットティッシュ収容具として使用できるようになり、ポケットティッシュをもらって帰っても、繰り返し、容易に収容でき、容易に取り出せ、ポケットティッシュを有効に利用できる収容具になるのである。
【０００５】
【発明の実施の形態】
本発明は、街角などで無料で配られているポケットティッシュの外装フィルムを剥がし、一枚一枚折り畳まれているティッシュを横に寝かせるようにして積み重ねて、家庭で収容しておくことで、すぐ取り出せ、効果的に使用できるように為されたポケットティッシュ収容具である。
【０００６】
ポケットティッシュは、ティッシュを一枚一枚折り畳んで、数枚ひとまとめにして外装フィルムで包んでいるため、外装フィルムを剥がすと、中のティッシュは、ばらばらになってしまうので、ばらばらにならず収容できるように、本体部は、主に四角筒状で、内部の収容部は、空洞にして、ティッシュを横に寝かせて積み重ねることができるようにすると効果的である。
【０００７】
収容部の大きさは、折り畳まれたティッシュを横に寝かせるように収容できる大きさとし、収容部の深さは、折り畳まれたティッシュを数十枚横に寝かせて積み重ねられる深さを有していると、収容できるティッシュの枚数が少なすぎるため、使用しているとき、すぐ無くなることもなく、度々補充しなくてもよいように、また、貰ってきたポケットティッシュはほぼ収容可能なように、多くの枚数を収容しておくことができ効果的である。
【０００８】
本体部の上面は、開放しておくことで、ティッシュを横にして入れる挿入口となる。
【０００９】
紙箱に入っているティッシュペーパーは、ティッシュを二つ折りにして、半分ずつ重ねながら上に積み重ねているので、紙箱に収容したあと、上側に取り出し口があり、一枚引き抜くと、次のティッシュペーパーの半分が顔を出して次々取り出しやすく為されているが、ポケットティッシュの場合は、一枚一枚ティッシュが折り畳まれているので、本体部の上面から挿入して、下面も開放して、取り出し口として、横に寝かせて収容しているティッシュを下側から取り出せるようにすると効果的である。
【００１０】
ティッシュを横に寝かせて収容するとき、本体部の上面と下面を開放しているので、上面から挿入し、下面から取り出した方が使いやすいが、下面から押し込んで収容して、上面から取り出しても使い方は自由である。
【００１１】
本体部の挿入口や取り出し口の大きさは、一枚一枚折り畳まれたティッシュを横にして挿入口から挿入して、そのまま収容部に収容し積み重ね、取り出し口から取り出すのであるから、挿入口と取り出し口の大きさも、折り畳まれたティッシュを横にしたときの大きさで、ティッシュを横に寝かせて収容できるように、本体部上縁の挿入口から下縁の取り出し口まで同じ大きさにすると効果的である。
【００１２】
ポケットティッシュの外装フィルムを剥がして、一枚一枚折り畳まれているティッシュを指でつまんで、挿入口から横に寝かせたまま挿入し、収容部下部から上部へ積み重ねていくのであるが、下面の取り出し口も開放されており、横に寝かせるようにして収容したティッシュは、そのままでは脱落してしまうので、本体部内側の収容部下部の取り出し口付近に出っ張り部を設けておくと、出っ張り部が障害となり、横に寝かせて収容しているティッシュが容易に脱落しなくなり効果的である。
【００１３】
横に寝かせて収容しているティッシュは、力を加えなかったとき、出っ張り部で遮られ収容部から脱落しないが、柔らかいので、ティッシュをつまんで下に引っ張り降ろせば形が崩れ、出っ張り部による障害を通り越し、容易に、取り出すことができ効果的である。
【００１４】
出っ張り部の長さは、ある程度長くても、ティッシュが柔らかいのでつまんで引っ張れば取り出すことができるので、横に寝かせて積み重ねて収容しているティッシュが、設けた出っ張り部によって、容易に脱落せず、つまんで下に引っ張り降ろせば容易に取り出せる長さにすれば良いのである。
【００１５】
設ける出っ張り部の数は、折り畳んで横に寝かせて収容しているティッシュの形状が長方形であるので、本体部内側面の収容部下部の取り出し口付近に一カ所設けただけでは、出っ張り部を設けた内側面に相対する反対側の出っ張り部を設けていない内側面からティッシュが滑って脱落してしまうので、少なくとも、相対する内側面に一つずつ設け、できれば、相対する内側面に二つ以上ずつ設けるか、内側面全てにそれぞれ二つ以上の出っ張り部を設けると、横に寝かせて積み重ねて収容しているティッシュが設けた出っ張り部によって、左右前後水平に、バランス良く引っかかって、脱落しにくくなるので効果的である。
【００１６】
出っ張り部の数や位置は、ティッシュを横に寝かせるように積み重ねたときや、上側に新たなティッシュを補充するときにかかる力や、下側のティッシュをつまんで取り出すときに、取り出す必要のないティッシュまで脱落しないように考慮して決めれば効果的である。
【００１７】
また、出っ張り部を内側面に設けるとき、取り出し口の下縁から同じ高さの位置に合わせて、それぞれの内側面に設けると、横に寝かせて収容しているティッシュも左右前後水平に保たれて脱落せず保持されるのであり、これ以外に、手前内面に設ける出っ張り部を取り出し口の下縁近くに設け、相対する奥側内面に設けるとき手前内面の位置より、高い位置に出っ張り部を設けると、本体部を冷蔵庫の金属壁面などに取り付けたとき、横に寝かせるように収容しているティッシュにおいて、奥側より、手前側が低く、ティッシュが斜めにされて収容されているので手前側から取り出しやすくなり効果的である。
【００１８】
本体部は、四角筒状であるが、本体部内部の収容部が四角筒状で、ティッシュが横に寝かせるように積み重ねて収容できれば、収容部を構成する四角筒状の外側の形状は、動物やキャラクターの形状をしていても良いのである。
【００１９】
本体部を壁面に取り付けたとき、手前を向いている面を前面とし、壁面に接触する面を裏面とし、裏面に、磁石部を設けると、冷蔵庫などの金属壁面に取り付けることができるようになり効果的である。
【００２０】
本体部裏面に設ける磁石部は、冷蔵庫などの金属壁面に取り付けられ、自重で脱落しない磁力が必要で、磁石によって、冷蔵庫のドア面にポケットティッシュ収容具が取り付けられると、いつも収容具のある場所がはっきりし、ティッシュをよく使用する台所で利用でき効果的である。
【００２１】
金属壁面以外に取り付けて使用する場合は、磁石では取り付けることができないので、磁石のかわりに、ネジやフックや接着剤で固着して取り付けられるようにすると便利である。
【００２２】
溝部は、本体部前面に設けるのである。
【００２３】
本体部前面に溝部を設けるときは、前面の上縁から下縁まで設けた方が、横にしたティッシュを指でつまんで、挿入口から差し入れ、そのまま収容部下部まで移動させて収容するとき、ティッシュをつまんだまま指を溝部に沿って滑らせながら、収容部下部までつまんだティッシュを移動させて横に寝かせたまま積み重ねて収容しやすくなるので効果的である。
【００２４】
溝部の幅は、横にしたティッシュを指でつまんで、収容部下部まで移動させなければならないので、親指が入って、溝部の上から下までティッシュをつまんだまま移動できるくらいのの幅があると効果的である。
【００２５】
溝部は、本体部前面の上縁から下縁まで設けておくと、横にしたティッシュを指でつまんだまま挿入口から入れやすく、横に寝かせて収容しているティッシュの下層のティッシュを溝部から指でつまんで引っ張り降ろせば取り出し口からティッシュを取り出しやすくなるので便利である。
【００２６】
本体部の材質は何でも良いが、プラスチック製にすると、丈夫で、軽量で、衛生的であり、耐久性もあるので効果的である。
【００２７】
本体部上面の挿入口は開放されているので、本体部上縁付近に蝶番などを用いて、上蓋を取り付けると、収容しているティッシュや収容部に埃が溜まりにくくなり衛生的である。
【００２８】
冷蔵庫などに取り付けたとき、本体部の奥側の下縁部分から接続させて、下面の取り出し口から下方向に少し離して、取り出し口から脱落するティッシュを受け止める蓋の役目をさせる、ティッシュ受け部分を設けておくと、つまんで取り出そうとしたティッシュ以外に、誤って脱落したティッシュがティッシュ受け部分に受け止められ、床に散らかることが無くなり効果的である。
【００２９】
ポケットティッシュの中のティッシュ一枚一枚の折り畳まれ方は、個別に一枚一枚折り畳まれていることが殆どであるが、大体、どのティッシュにおいても、それぞれ最後は二つ折りにして小さな長方形にされているので、収容具にティッシュを横に寝かせて積み重ねて収容するとき、二つ折りにされているティッシュが半分ずつ重なるように積み重ねていけば、つまり、紙箱に収容されているティッシュペーパーのように積み重ねていけば、収容した最下層のティッシュの半分を取り出し口から垂らしておくことができ、最下層のティッシュの垂れている部分を引っ張り降ろせば、次のティッシュの半分が垂れ下がらせることを繰り返し行えるようになり、横に寝かせて積み重ねて収容したティッシュの半分を取り出し口から垂れ下がらせることで、より一層取り出しやすくさせることができ効果的である。
【００３０】
【実施例】
実施例について図面を参照して説明すると、図１において、街角で配られているポケットティッシュの外装フィルムを剥がして、中のティッシュ（１０）を取り出し、横に寝かせるように積み重ねて収容することができる大きさを有する四角筒状の本体部（１）の内部を空洞にして収容部（２）とする。本体部（１）を冷蔵庫（１１）などの金属壁面に取り付ける側面を裏面（６）とし磁石部（９）を設け、相対する面を前面（５）とし、前面（５）の上縁から下縁までを貫通させて溝部（７）とする。本体部（１）の上面は開放させて挿入口（３）とし、下面も開放させて取り出し口（４）とする。収容部（２）に横に寝かせて積み重ねて収容したティッシュ（１０）が、取り出し口（４）から脱落しないように、本体部（１）内側の収容部（２）下部の取り出し口（４）付近に出っ張り部（８）を設ける。
【００３１】
図２では、ティッシュ（１０）の収容方法を示す図であり、ポケットティッシュとして、一枚一枚折り畳まれたティッシュ（１０）を包んでいる外装フィルムを剥がして、中から取り出したティッシュ（１０）全体を指でつまんで横に寝かせたまま、本体部（１）上面の挿入口（３）から入れ、つまんだ指を溝部（）に沿って収容部（２）の下部まで進めて行くことで、ティッシュ（１０）を収容部（２）下部にまで到達させやすくなるので、ティッシュ（１０）を横に寝かせたまま収容でき、これを繰り返すことで、ティッシュ（１０）を横に寝かせたまま収容部（２）が一杯になるまで、ティッシュ（１０）を積み重ねることができるようになります。
【００３２】
図３では、本体部（１）内側の収容部（２）下部に設けた出っ張り部（８）の内容を示す図であり、本体部（１）は、上面と下面を開放させた四角筒状で、折り畳まれたティッシュ（１０）を横に寝かせて収容部（２）に積み重ねることができるような大きさになっており、そのままでは、収容したティッシュ（１０）が下面から脱落してしまうので、横に寝かせたティッシュ（１０）が引っかかるように出っ張り部（８）を設けるのである。出っ張り部（８）を設けることによって、収容しているときは、収容部（２）から容易に脱落せず、取り出すときは、横に寝かせたティッシュ（１０）自体が柔らかいので、収容している下層のティッシュ（１０）の一部を指でつまんで引っ張ると、形が崩れ、面積が狭くなるので容易に出っ張り部（８）の障害を通り越し取り出すことができるようになるのである。
【００３３】
図４では、収容したティッシュ（１０）の取り出し方法を示す図であり、本体部（１）内部の収容部（２）に横に寝かせるように積み重ねられて収容されているティッシュ（１０）は、本体部（１）内側の収容部（２）下部に設けられている出っ張り部（８）に引っかかっていて、収容部（２）から脱落せずにとどまっているので、前面（５）に設けた溝部（７）から指先を入れて取り出したいティッシュ（１０）を下層から数枚つまんで、取り出し口（４）に向けて引っ張り降ろして出すか、取り出し口（４）から下層のティッシュ（１０）を指でつまんで引っ張り出すのである。
【００３４】
図５では、本体部（１）の取り付け方を示す図であり、本体部（１）の裏面（６）には、磁石部（９）を設けているので、裏面（６）を冷蔵庫（１１）などの金属壁面に接触させるだけで取り付けることができるのである。金属壁面以外の壁面に取り付けたいときは、ネジやフックや接着剤で取り付けても良いのである。
【００３５】
出っ張り部（８）は、横に寝かして収容しているティッシュ（１０）が長方形なので、少なくても相対する辺に一カ所以上設ける必要があるが、下層のティッシュ（１０）をつまんで引っ張り出すとき、誤って余分なティッシュ（１０）が脱落しないように、本体部（１）内側の収容部（２）下部に数カ所バランス良く設けると効果的である。
【００３６】
本体部（１）の前面（５）に設ける溝部（７）の幅は、ティッシュ（１０）を横に寝かせながら、指でつまんで収容部（２）下部まで運びやすくするため、親指が入るくらいの幅があった方が便利である。また、指でティッシュ（１０）をつまんで収容部（２）下部まで運ばなくて、挿入口（）からティッシュ（１０）を横にして落下させて収容する場合は、必ずしも溝部（７）は無くても良いのである。
【００３７】
本体部（１）の上面は、開放しているのであるが、ティッシュ（１０）を挿入するとき以外は閉まっていた方が良く、上に上げると開けることができる上蓋を取り付けておくと衛生的である。
【００３８】
本体部（１）の下面は開放しているので、収容部（２）から脱落しないように出っ張り部（８）を設けるのであるが、指でつまんでティッシュ（１０）を引っ張り出すとき、余分なティッシュ（１０）を誤って床に脱落させ散乱させないように、本体部（１）に接続させて、取り出し口（４）から離した位置に、受け部分を設けておくと便利である。
【００３９】
本体部の形状は、主に、四角筒状であるが、本体部内部の収容部そのものが四角筒状で、ティッシュを横に寝かせて積み重ねて収容することができれば、四角筒状の収容部の外側は、特に四角筒状である必要はないので、本体部自体の形状としても、四角筒状以外に、動物やキャラクターの形状をしていても、差し支えはないのである。
【００４０】
【発明の効果】
本発明は、以上述べてきたような内容で実施され、以下に記載されるような効果を奏する。
【００４１】
街角などで無料で配っているポケットティッシュをもらって来て家庭で日常使用するとき、従来は、使用する度に、どこかに収容しているポケットティッシュを持って来て、いちいち外装フィルムを剥がして中からティッシュを取り出さなければならず使いづらかったたが、本発明の収容具では、最初から外装フィルムを剥がして収容しておけるので、必要なときに、すぐ取り出せて使用でき便利である。
【００４２】
本発明の収容具では、最初から外装フィルムを剥がして収容具という、決まった所に収容されているので、従来のように、外装フィルムに包んだまま、どこにしまったか分からなくて探さなくても良く便利である。
【００４３】
ポケットティッシュは、一枚一枚折り畳んで数枚まとめてフィルムに包まれているので、一枚や二枚使ったあと、残ったティッシュの保管場所が無くて、無理矢理使い切るか、置き場所に困り、そのうち、使わずに捨てていましたが、本発明の収容具では、最初から外装フィルムを剥がして数多く収容しているので、必要なときに、必要な分だけ取り出せ、収容いているティッシュを有効に使用でき便利である。
【００４４】
従来のように、ポケットティッシュのままでは、緊急に使用しようとしたとき、外装フィルムを剥がして中からティッシュを取り出さなければならず、すぐ取り出せなかったが、本発明の収容具には、最初からティッシュそのものを収容しているので、すぐ取り出せ便利である。
【００４５】
本発明の収容具では、一枚一枚個別に折り畳まれて収容されていますが、予め、ティッシュをむき出しのまま収容しているので、紙箱に入って提供されるティッシュペーパーと同じような感覚で使用でき便利である。
【００４６】
ポケットティッシュは、携帯するとき便利であるが、次から次へと配っているので、従来は、街で無料で配っているポケットテイッシュをもらってもあまり有り難くなかったが、家で、紙箱入りのティッシュペーパーと同じような感覚で使用できるので、有意義に使用できるようになり便利である。また、配っているポケットティッシュは、無料であるので、紙箱入りのティッシュペーパーの替わりに使用でき、ティッシュペーパー代が節約でき効果的である。
【００４７】
ポケットティッシュをもらっても、一個のポケットティッシュには数枚しかティッシュが入っていないので、それでは足りなくて、使い勝手が悪いことがありましたが、本発明の収容具では、まとめて多く収容しているので便利である。
【００４８】
収容具の裏面に磁石部を設けることで、冷蔵庫の金属壁面に取り付けることができ、よく使用する台所で、ティッシュをすぐ取り出して使用でき便利である。また、冷蔵庫の金属壁面のように、目立つところに取り付けておくことで、ティッシュを収容している場所がはっきりして、使用したいときに、どこにあるか、迷わず、すぐ使用でき便利である。
【００４９】
ポケットティッシュの中に、個別に折り畳まれているティッシュは、最終的には二つ折りにされているので、収容具にティッシュを収容するとき、紙箱入りのティッシュペーパーのように、二つ折りに折り畳まれているティッシュを交互に半分ずつ積み重ねて収容することで、収容具の取り出し口からティッシュの半分を垂らすことができ、さらに取り出しやすくなり便利である。
【図面の簡単な説明】
【図１】本発明の実施例図である。
【図２】ティッシュの収容方法を示す図である。
【図３】ティッシュの取り出し方法を示す図である。
【図４】本体部の取り付け方法を図である。
【符号の説明】
１　　本体部
２　　収容部
３　　挿入口
４　　取り出し口
５　　前面
６　　裏面
７　　溝部
８　　出っ張り部
９　　磁石部
１０　ティッシュ
１１　冷蔵庫
【図１】
2004089640.tif 000003
【図２】
2004089640.tif 000004
【図３】
2004089640.tif 000005
【図４】
2004089640.tif 000006
【図５】
2004089640.tif 000007
【手続補正書】
【提出日】平成14年11月11日(2002.11.11)
【手続補正１】
【補正対象書類名】明細書
【補正対象項目名】図面の簡単な説明
【補正方法】変更
【補正の内容】
【図面の簡単な説明】
【図１】本発明の実施例図である。
【図２】ティッシュの収容方法を示す図である。
【図３】出っ張り部の内容を示す図である。
【図４】ティッシュの取り出し方法を示す図である。
【図５】本体部の取り付け方を示す図である。
【符号の説明】
１　　本体部
２　　収容部
３　　挿入口
４　　取り出し口
５　　前面
６　　裏面
７　　溝部
８　　出っ張り部
９　　磁石部
１０　ティッシュ
１１　冷蔵庫